(57)【要約】【課題】意図しない外れ、頭髪の乱れ、および帽子等の装着の妨げが生じるのを回避しつつ、仰向けで寝た状態や、ヘッドレストに後頭部が接するように椅子に腰掛けた状態においても快適に使用可能とする。【解決手段】装着対象者の耳介１０における根元部分１０ａに掛けられる側面視半環状の耳掛け部３、および耳掛け部３に取り付けられたケーシング２１内にスピーカ本体２２が収容されたスピーカ部２を備えた耳掛け式の耳近接スピーカ装置１であって、耳掛け部３は、装着対象者に耳近接スピーカ装置１を装着したときに装着対象者の側頭部に当接させられてスピーカ部２が耳介１０から離間した状態を維持する当接部４１が設けられると共に、スピーカ部２が取り付けられた一端部３ａおよび一端部３ａとは逆側の他端部３ｂの両端部間の距離が変化するように耳掛け部３を変形可能とする節部３ｃが設けられている。【選択図】図５
2015207956.tif 000002
【特許請求の範囲】
【請求項１】
装着対象者の耳介における根元部分に掛けられる側面視半環状の耳掛け部、および当該耳掛け部に取り付けられたケーシング内にスピーカ本体が収容されたスピーカ部を備えた耳掛け式の耳近接スピーカ装置であって、
前記耳掛け部は、前記装着対象者に当該耳近接スピーカ装置を装着したときに当該装着対象者の側頭部に当接させられて前記スピーカ部が前記耳介から離間した状態を維持する当接部が設けられると共に、当該スピーカ部が取り付けられた第１端部および当該第１端部とは逆側の第２端部の両端部間の距離が変化するように当該耳掛け部を変形可能とする節部が設けられている耳近接スピーカ装置。
【請求項２】
前記耳掛け部は、前記節部が前記両端部間に１つだけ設けられている請求項１記載の耳近接スピーカ装置。
【請求項３】
前記節部には、当該節部を介して連結されている前記第１端部の側の第１部材および前記第２端部の側の第２部材の両部材を、当該両端部間の距離が短くなるように当該耳掛け部を変形させる向きに付勢する付勢部材が配設されている請求項１または２記載の耳近接スピーカ装置。
【請求項４】
前記スピーカ部の前記スピーカ本体に音声信号を供給する信号ケーブルにおける当該スピーカ部の側の端部が前記耳掛け部に埋設されると共に、当該耳掛け部における前記第１端部に最も近い前記節部よりも当該第１端部寄りの部位から当該信号ケーブルが当該耳掛け部の外部に引き出されている請求項１から３のいずれかに記載の耳近接スピーカ装置。
【請求項５】
前記耳掛け部には、眼鏡を装着した前記装着対象者に当該耳近接スピーカ装置を装着したときに側面視において当該眼鏡のツル部と重なる部位に、当該装着対象者の前記側頭部との間に隙間を形成して当該ツル部を避けるツル部避けが設けられている請求項１から４のいずれかに記載の耳近接スピーカ装置。
【発明の詳細な説明】
【技術分野】
【０００１】
本発明は、スピーカ部から音声を出力可能に構成されて装着対象者の頭部に装着される耳近接スピーカ装置に関するものである。
【背景技術】
【０００２】
この種の装置として、下記の特許文献に完全開放形ヘッドホン（以下、単に「ヘッドホン」ともいう）が開示されている。このヘッドホンは、装着対象者の上頭部に即した円弧状に形成されると共に両端部にスライダ保持部が設けられたヘッドバンドと、ヘッドバンドに対するスライドが可能にスライダ保持部によって保持された一対のスライダと、両スライダの下端部にそれぞれ取り付けられた一対のジャック・ジョイントユニットと、支持パイプを介してジャック・ジョイントユニットに取り付けられた一対のドライバ部とを備えている。また、両ドライバ部は、ジャック・ジョイントユニットのジャックに接続されたスピーカと、スピーカを収容可能なケースとをそれぞれ備えている。
【０００３】
さらに、このヘッドホンでは、ヘッドバンドおよび両スライダの弾性力によって装着対象者の側頭部に押し付けられるサイドパッドが両スライダの内側部位にそれぞれ取り付けられている。この場合、両サイドパッドは、装着対象者の耳介における根元部分の上に掛かるように前後方向に長く形成され、その後端部には、装着対象者の耳介における根元部分の後ろ側に掛かるようにイヤーフックが設けられている。また、このヘッドホンでは、両サイドパッドが装着対象者の側頭部に押し付けられた状態において、両ドライバ部が装着対象者の耳介から離間した状態となるように構成されている。これにより、このヘッドホンでは、両耳介が圧迫される不快感を覚えることなく装着することが可能となっている。
【先行技術文献】
【特許文献】
【０００４】
【特許文献１】実開昭５８−１８９６９１号公報（第３−７頁、第１−４図）
【発明の概要】
【発明が解決しようとする課題】
【０００５】
ところが、上記のヘッドホンには、以下のような解決すべき課題が存在する。すなわち、このヘッドホンでは、両スライダの一方、両ジャック・ジョイントユニットの一方、および両ドライバ部の一方などからなる左側のユニットと、両スライダの他方、両ジャック・ジョイントユニットの他方、および両ドライバ部の他方などからなる右側のユニットとがヘッドバンドを介して連結されている。したがって、このヘッドホンでは、装着時にヘッドバンドが上頭部に沿って存在している状態となる。このため、このヘッドホンでは、装着時にヘッドバンドに接した頭髪に乱れが生じたり、上頭部に沿って存在しているヘッドバンドが邪魔をして帽子やヘルメット等の装着の妨げとなったりするという課題がある。
【０００６】
この場合、スライダ保持部に対してスライダをスライドさせることでヘッドバンドの内側部位が上頭部から離間するようにヘッドホンを装着することにより、頭髪の乱れが生じるのを回避することができる。しかしながら、そのような装着状態は、サイドパッドおよびイヤーフックだけが装着対象者に接している不安定な状態のため、ヘッドホンが頭部から外れてしまうおそれがある。また、ヘッドバンドが後頭部に沿って配置されるようにヘッドホンの構造を変更することで、ヘッドバンドが帽子やヘルメット等の装着の妨げとなる事態を回避することができる。しかしながら、そのように構造を変更したヘッドホンでは、仰向けで寝た状態での使用や、ヘッドレストに後頭部が接するように椅子に腰掛けた状態での使用時にヘッドバンドが邪魔となるという新たな課題が生じる。
【０００７】
本発明は、かかる課題を解決すべくなされたものであり、意図しない外れ、頭髪の乱れ、および帽子等の装着の妨げが生じるのを回避しつつ、仰向けで寝た状態や、ヘッドレストに後頭部が接するように椅子に腰掛けた状態においても快適に使用することが可能な耳近接スピーカ装置を提供することを主目的とする。
【課題を解決するための手段】
【０００８】
上記目的を達成すべく、請求項１記載の耳近接スピーカ装置は、装着対象者の耳介における根元部分に掛けられる側面視半環状の耳掛け部、および当該耳掛け部に取り付けられたケーシング内にスピーカ本体が収容されたスピーカ部を備えた耳掛け式の耳近接スピーカ装置であって、前記耳掛け部は、前記装着対象者に当該耳近接スピーカ装置を装着したときに当該装着対象者の側頭部に当接させられて前記スピーカ部が前記耳介から離間した状態を維持する当接部が設けられると共に、当該スピーカ部が取り付けられた第１端部および当該第１端部とは逆側の第２端部の両端部間の距離が変化するように当該耳掛け部を変形可能とする節部が設けられている。
【０００９】
請求項２記載の耳近接スピーカ装置は、請求項１記載の耳近接スピーカ装置において、前記耳掛け部は、前記節部が前記両端部間に１つだけ設けられている。
【００１０】
請求項３記載の耳近接スピーカ装置は、請求項１または２記載の耳近接スピーカ装置において、前記節部には、当該節部を介して連結されている前記第１端部の側の第１部材および前記第２端部の側の第２部材の両部材を、当該両端部間の距離が短くなるように当該耳掛け部を変形させる向きに付勢する付勢部材が配設されている。
【００１１】
請求項４記載の耳近接スピーカ装置は、請求項１から３のいずれかに記載の耳近接スピーカ装置において、前記スピーカ部の前記スピーカ本体に音声信号を供給する信号ケーブルにおける当該スピーカ部の側の端部が前記耳掛け部に埋設されると共に、当該耳掛け部における前記第１端部に最も近い前記節部よりも当該第１端部寄りの部位から当該信号ケーブルが当該耳掛け部の外部に引き出されている。
【００１２】
請求項５記載の耳近接スピーカ装置は、請求項１から４のいずれかに記載の耳近接スピーカ装置において、前記耳掛け部には、眼鏡を装着した前記装着対象者に当該耳近接スピーカ装置を装着したときに側面視において当該眼鏡のツル部と重なる部位に、当該装着対象者の前記側頭部との間に隙間を形成して当該ツル部を避けるツル部避けが設けられている。
【発明の効果】
【００１３】
請求項１記載の耳近接スピーカ装置によれば、装着対象者の側頭部に当接させられてスピーカ部が耳介から離間した状態を維持する当接部と、スピーカ部が取り付けられた第１端部およびその逆側の第２端部の両端部間の距離が変化するように耳掛け部を変形可能とする節部とを設けた耳掛け部にスピーカ部を取り付けて構成したことにより、左側のユニットと右側のユニットとがヘッドバンドを介して連結されている従来のヘッドホンとは異なり、上頭部や後頭部に沿って位置させられる部材が存在しないため、頭髪の乱れ、および帽子等の装着の妨げが生じるのを回避することができると共に、仰向けで寝た状態や、ヘッドレストに後頭部が接するように椅子に腰掛けた状態においても快適に使用することができる。また、耳掛け部を変形させることで、耳介における根元部分の外径が大きい者から、根元部分の外径が小さい者までの様々な装着対象者に装着することができるだけでなく、根元部分の外径が大きい者に装着するときには、第１端部および第２端部を離間させるように耳掛け部を変形させ、根元部分の外径が小さい者に装着するときには、第１端部および第２端部を接近させるように耳掛け部を変形させることで、耳掛け部の内側部位を根元部分の外周部に好適に接触させた状態で装着することができ、これにより、装着対象者からの意図しない外れを好適に回避することができる。さらに、当接部によってスピーカ部を耳介から離間させた状態が維持されるため、長時間に亘って装着しても、圧迫感の少ない状態で心地よく使用することができる。
【００１４】
請求項２記載の耳近接スピーカ装置によれば、耳掛け部の両端部間に節部を１つだけ設けたことにより、耳掛け部に節部を２つ以上設けた構成と比較して、耳掛け部を構成する部材の数が少ない分だけ耳近接スピーカ装置の製造コストを低減できる。また、例えば節部を２つ設けた場合には、利用者の意図に反して耳掛け部が側面視Ｚ字状に変形してしまうことがあり、耳介の根元部分に耳掛け部を好適に接触させた状態で装着するには、側面視コ字状となるように耳掛け部の形状（変形状態）を調整する必要があるのに対し、耳掛け部に節部を１つだけ設けた耳近接スピーカ装置では、耳掛け部が意図しない形状に変形する事態を招くことなく、節部を介して連結されている第１端部側の部材および第２端部側の部材の双方を耳介の根元部分に対して好適に接触させた状態で装着することができるため、装着が容易であるだけでなく、装着対象者からの意図しない外れを一層好適に回避することができる。
【００１５】
請求項３記載の耳近接スピーカ装置によれば、耳掛け部における両端部間の距離が短くなるように耳掛け部を変形させる向きに第１部材および第２部材の両部材を付勢する付勢部材を節部に配設したことにより、第１部材および第２部材の双方が耳介の根元部分に確実に接して、第１部材および第２部材によって根元部分を挟持するようにして装着対象者に耳近接スピーカ装置を装着することができるため、装着対象者からの意図しない外れを一層好適に回避することができる。
【００１６】
請求項４記載の耳近接スピーカ装置によれば、信号ケーブルにおけるスピーカ部の側の端部を耳掛け部に埋設すると共に、耳掛け部における第１端部に最も近い節部よりも第１端部寄りの部位から耳掛け部の外部に信号ケーブルを引き出したことにより、信号ケーブルが耳掛け部における節部や第２端部側の部材（第２部材）とは別体となっているため、節部における耳掛け部の変形時に信号ケーブルが耳掛け部と共に変形させられる事態を回避することができる。これにより、耳掛け部を複数回に亘って変形させたときに信号ケーブルに断線が生じる事態を好適に回避することができる。
【００１７】
請求項５記載の耳近接スピーカ装置によれば、眼鏡を装着した装着対象者に耳近接スピーカ装置を装着したときに側面視において眼鏡のツル部と重なる部位に、装着対象者の側頭部との間に隙間を形成してツル部を避けるツル部避けを設けたことにより、ツル部の存在に邪魔されることなく、眼鏡を装着している装着対象者に耳近接スピーカ装置を適合した状態で装着することができる。これにより、装着対象者か眼鏡を装着していたとしても、耳近接スピーカ装置の意図しない外れを好適に回避することができる。
【図面の簡単な説明】
【００１８】
【図１】耳近接スピーカ装置１の外観斜視図である。
【図２】耳近接スピーカ装置１の他の外観斜視図である。
【図３】耳近接スピーカ装置１の平面図である。
【図４】耳近接スピーカ装置１の側面図である。
【図５】眼鏡１５を装着した装着対象者の頭部における耳介１０に耳近接スピーカ装置１を掛けた状態の側面図である。
【図６】図５に示す耳近接スピーカ装置１と眼鏡１５のツル部１６との位置関係について説明するための平面図である。
【発明を実施するための形態】
【００１９】
以下、耳近接スピーカ装置の実施の形態について、添付図面を参照して説明する。
【００２０】
最初に、耳近接スピーカ装置１の構成について、図面を参照して説明する。
【００２１】
耳近接スピーカ装置１は、「耳掛け式の耳近接スピーカ装置」の一例であって、図１，２に示すように、スピーカ部２および耳掛け部３を備え、装着対象者の側頭部（耳元）に装着可能に構成されると共に、図示しない音声信号出力装置から出力された音声信号に従って音声を出力することができるように構成されている。なお、本例の耳近接スピーカ装置１は、一例として、装着対象者の左耳に近接した状態で装着可能に構成されているが、ステレオ音声信号に従って音声を出力させるときには、本例の耳近接スピーカ装置１と同様にして「スピーカ部」および「耳掛け部」を備えて右耳に近接した状態で装着可能に構成された図示しない「耳近接スピーカ装置」と共に耳近接スピーカ装置１を使用する。
【００２２】
スピーカ部２は、耳掛け部３の一端部３ａに取り付けられたケーシング２１内にスピーカ本体２２（図４参照）が収容されて構成されている。この場合、本例の耳近接スピーカ装置１では、図１，２に示す矢印Ａの向きでの耳掛け部３に対するスピーカ部２の回動が可能となるようにスピーカ部２が耳掛け部３に取り付けられており、後述するように、本例の耳近接スピーカ装置１を装着対象者の側頭部に装着したときに、スピーカ部２を装着対象者の耳穴に向けることで、音声を聴き取り易くすることができるようになっている。なお、ケーシング２１内には、スピーカ本体２２の他に、エンクロージャや吸音材等の各種の部材が収容されているが、本例の耳近接スピーカ装置１の構成に関する理解を容易とするために、スピーカ本体２２以外の構成要素に関する図示および説明を省略する。
【００２３】
耳掛け部３は、側面視弧状の第１部材（「第１端部」側の部材）３１、側面視弧状の第２部材（「第２端部」側の部材）３２および回動軸３３を備え、図５に示すように、本例の耳近接スピーカ装置１を装着対象者の側頭部に装着する際に、装着対象者の耳介１０における根元部分１０ａに掛けることができるように側面視半環状（側面視Ｃ字状）に形成されている。この耳掛け部３は、図１，２に示すように、第１部材３１および第２部材３２の両部材（非変形部材）における端部同士が回動軸３３によって連結されている（第２部材３２が回動軸３３によって第１部材３１に軸支されている）。これにより、本例の耳近接スピーカ装置１では、スピーカ部２が取り付けられた一端部３ａ（第１部材３１における第２部材３２側とは逆側の端部：「第１端部」の一例）およびその逆側の他端部３ｂ（第２部材３２における第１部材３１側とは逆側の端部：「第２端部」の一例）の間の距離（直線距離：最短距離）が変化するように耳掛け部３を変形させる（屈曲変形させる）ことができるように構成されている。
【００２４】
この場合、本例の耳近接スピーカ装置１における耳掛け部３では、回動軸３３、第１部材３１における回動軸３３の軸受け部（第２部材３２側の端部）、および第２部材３２における回動軸３３の軸受け部（第１部材３１側の端部）によって構成された節部３ｃ（可動性結合部：「節部」の一例）が一端部３ａおよび他端部３ｂの両端部間に１つだけ設けられ、これにより、図４に示すように、スピーカ部２および第１部材３１に対して回動軸３３を回動中心として矢印Ｂ１，Ｂ２の向きに第２部材３２を回動させることができるように構成されている。また、本例の耳掛け部３では、回動軸３３を介して連結されている第１部材３１および第２部材３２の両部材を付勢して、一端部３ａおよび他端部３ｂの両端部間の距離が短くなるように耳掛け部３を変形させるコイルスプリング３４（「付勢部材」の一例）が、節部３ｃにおける回動軸３３の周囲に配設されている。
【００２５】
また、図１に示すように、第１部材３１には、後述するように耳近接スピーカ装置１を装着対象者に装着したときに装着対象者の側頭部（こめかみ）に当接させられてスピーカ部２が装着対象者の耳介１０から離間した状態（一例として、スピーカ部２が耳穴１１の口縁部から０．３ｃｍ以上２ｃｍ以下の範囲内で離間し、かつ近接した状態）を維持するための当接部４１が設けられている。さらに、図３，６に示すように、第１部材３１には、眼鏡１５を装着した装着対象者に耳近接スピーカ装置１を装着したときに、側面視において眼鏡１５のツル部１６と重なる部位にツル部避け４２が設けられ、これにより、耳掛け部３（第１部材３１）と装着対象者の側頭部との間に隙間を生じさせてツル部１６を避けられる構成が採用されている。
【００２６】
また、図４に示すように、本例の耳近接スピーカ装置１では、スピーカ本体２２に音声信号を供給する信号ケーブル４におけるスピーカ部２の側の端部が耳掛け部３（第１部材３１）に埋設されると共に、節部３ｃ（「第１端部に最も近い節部」の一例）よりも一端部３ａ寄りの部位から信号ケーブル４が耳掛け部３（第１部材３１）の外部に引き出されている。
【００２７】
次に、耳近接スピーカ装置１の使用方法について、添付図面を参照して説明する。
【００２８】
前述したように耳掛け部３の第１部材３１および第２部材３２がコイルスプリング３４によって付勢されている本例の耳近接スピーカ装置１では、非装着状態において、スピーカ部２および第１部材３１に対して第２部材３２が図４に一点鎖線で示す位置に位置させられ、耳掛け部３の一端部３ａおよび他端部３ｂが接近させられている。したがって、耳近接スピーカ装置１を装着する際には、まず、コイルスプリング３４の付勢力に抗して第１部材３１に対して回動軸３３を回動中心として矢印Ｂ２の向きで第２部材３２を回動させることにより、同図に二点鎖線で示すように、一端部３ａおよび他端部３ｂを離間させるように耳掛け部３を変形させる。
【００２９】
次いで、装着対象者の耳介１０における根元部分１０ａに対して斜め後方から耳近接スピーカ装置１を差し入れ、図５に示すように、スピーカ部２が耳穴１１の側方に位置し、かつ耳掛け部３における第１部材３１の内側部位が根元部分１０ａに接触した状態において耳近接スピーカ装置１から手を離す。この際には、コイルスプリング３４の付勢力によってスピーカ部２および第１部材３１に対して回動軸３３を回動中心として図４に示す矢印Ｂ１の向きで第２部材３２が回動させられ、図５に示すように、一端部３ａおよび他端部３ｂが接近するようにして耳掛け部３が変形させられる。これにより、第１部材３１における内側部位の少なくとも１点、および第２部材３２における内側部位の少なくとも１点が装着対象者の耳介１０における根元部分１０ａに接して耳介１０の根元部分１０ａが第１部材３１および第２部材３２によって挟持された状態となる。
【００３０】
また、第１部材３１および第２部材３２によって耳介１０の根元部分１０ａが挟持された状態では、第１部材３１の当接部４１が装着対象者の側頭部（こめかみ）に当接させられてスピーカ部２が耳介１０（耳穴１１の口縁部）から離間させられた状態となる。これにより、第１部材３１における内側部位の少なくとも１点、第２部材３２における内側部位の少なくとも１点、および第１部材３１における当接部４１の少なくとも３点が装着対象者に接した状態で耳近接スピーカ装置１が装着対象者の頭部に位置決めされる。
【００３１】
この場合、前述したように、本例の耳近接スピーカ装置１では、耳掛け部３の第１部材３１にツル部避け４２が設けられている。したがって、図５，６に示すように、眼鏡１５を装着した装着対象者に耳近接スピーカ装置１を装着したときには、ツル部避け４２の部位において装着対象者の側頭部と第１部材３１との間に隙間が形成され、この隙間に眼鏡１５のツル部１６が位置した状態となって、ツル部１６に邪魔をされることなく、耳近接スピーカ装置１を装着することが可能となっている。この後、耳掛け部３に対してスピーカ部２を回動させてスピーカ本体２２を耳穴１１に向けて回動させることにより、耳近接スピーカ装置１の装着が完了する。つまり、スピーカ部２が耳介１０（耳穴１１の口縁部）から離間し、かつ近接した状態となる。この後、耳近接スピーカ装置１を接続した音声信号出力装置から音声信号を出力させることにより、スピーカ部２（スピーカ本体２２）から音声が出力される。
【００３２】
この場合、耳掛け式の「耳近接スピーカ装置」としては、「スピーカ部」を耳穴１１に挿入するタイプの装置が知られている。しかしながら、「スピーカ部」を耳穴１１に挿入するタイプの「耳近接スピーカ装置」では、挿入されている「スピーカ部」の存在に起因して耳穴１１の口縁部が拡径させられる向きに押圧されるため、長時間に亘る装着時に不快感を覚えることとなる。これに対して、スピーカ部２が耳介１０から離間させられた状態で装着される本例の耳近接スピーカ装置１では、長時間に亘って装着していたとしても、圧迫感の少ない状態で心地よく使用することが可能となっている。
【００３３】
このように、この耳近接スピーカ装置１によれば、装着対象者の側頭部に当接させられてスピーカ部２が耳介１０から離間した状態を維持する当接部４１と、スピーカ部２が取り付けられた一端部３ａおよびその逆側の他端部３ｂの両端部間の距離が変化するように耳掛け部３を変形可能とする節部３ｃとを設けた耳掛け部３にスピーカ部２を取り付けて構成したことにより、左側のユニットと右側のユニットとがヘッドバンドを介して連結されている従来のヘッドホンとは異なり、上頭部や後頭部に沿って位置させられる部材が存在しないため、頭髪の乱れ、および帽子等の装着の妨げが生じるのを回避することができると共に、仰向けで寝た状態や、ヘッドレストに後頭部が接するように椅子に腰掛けた状態においても快適に使用することができる。また、耳掛け部３を変形させることで、耳介１０における根元部分１０ａの外径が大きい者から、根元部分１０ａの外径が小さい者までの様々な装着対象者に装着することができるだけでなく、根元部分１０ａの外径が大きい者に装着するときには、一端部３ａおよび他端部３ｂを離間させるように耳掛け部３を変形させ、根元部分１０ａの外径が小さい者に装着するときには、一端部３ａおよび他端部３ｂを接近させるように耳掛け部３を変形させることで、耳掛け部３の内側部位を根元部分１０ａの外周部に好適に接触させた状態で装着することができ、これにより、装着対象者からの意図しない外れを好適に回避することができる。さらに、当接部４１によってスピーカ部２を耳介１０から離間させた状態が維持されるため、長時間に亘って装着しても、圧迫感の少ない状態で心地よく使用することができる。
【００３４】
またこの耳近接スピーカ装置１によれば、耳掛け部３の両端部３ａ，３ｂ間に節部３ｃを１つだけ設けたことにより、「耳掛け部」に「節部」を２つ以上設けた構成と比較して、耳掛け部３を構成する部材の数が少ない分だけ耳近接スピーカ装置１の製造コストを低減できる。また、例えば「節部」を２つ設けた場合には、利用者の意図に反して「耳掛け部」が側面視Ｚ字状に変形してしまうことがあり、耳介１０の根元部分１０ａに「耳掛け部」を好適に接触させた状態で装着するには、側面視コ字状となるように「耳掛け部」の形状（変形状態）を調整する必要があるのに対し、耳掛け部３に節部３ｃを１つだけ設けた耳近接スピーカ装置１では、耳掛け部３が意図しない形状に変形する事態を招くことなく、節部３ｃを介して連結されている第１部材３１および第２部材３２の双方を耳介１０の根元部分１０ａに対して好適に接触させた状態で装着することができるため、装着が容易であるだけでなく、装着対象者からの意図しない外れを一層好適に回避することができる。
【００３５】
さらに、この耳近接スピーカ装置１によれば、耳掛け部３における両端部３ａ，３ｂ間の距離が短くなるように耳掛け部３を変形させる向きに第１部材３１および第２部材３２の両部材を付勢するコイルスプリング３４を節部３ｃに配設したことにより、第１部材３１および第２部材３２の双方が耳介１０の根元部分１０ａに確実に接して、両部材３１，３２によって根元部分１０ａを挟持するようにして装着対象者に耳近接スピーカ装置１を装着することができるため、装着対象者からの意図しない外れを一層好適に回避することができる。
【００３６】
また、この耳近接スピーカ装置１によれば、信号ケーブル４におけるスピーカ部２の側の端部を耳掛け部３に埋設すると共に、節部３ｃよりも一端部３ａ寄りの部位から耳掛け部３の外部に信号ケーブル４を引き出したことにより、信号ケーブル４が耳掛け部３における節部３ｃや第２部材３２とは別体となっているため、節部３ｃにおける耳掛け部３の変形時に信号ケーブル４が耳掛け部３と共に変形させられる事態を回避することができる。これにより、耳掛け部３を複数回に亘って変形させたときに信号ケーブル４に断線が生じる事態を好適に回避することができる。
【００３７】
さらに、この耳近接スピーカ装置１によれば、眼鏡１５を装着した装着対象者に耳近接スピーカ装置１を装着したときに側面視において眼鏡１５のツル部１６と重なる部位に、装着対象者の側頭部との間に隙間を形成してツル部１６を避けるツル部避け４２を設けたことにより、ツル部１６の存在に邪魔されることなく、眼鏡１５を装着している装着対象者に耳近接スピーカ装置１を適合した状態で装着することができる。これにより、装着対象者か眼鏡１５を装着していたとしても、耳近接スピーカ装置１の意図しない外れを好適に回避することができる。
【００３８】
なお、「耳近接スピーカ装置」の構成は上記の耳近接スピーカ装置１の構成に限定されない。例えば、回動軸３３、第１部材３１における回動軸３３の軸受け部、および第２部材３２における回動軸３３の軸受け部によって構成された節部３ｃに「付勢部材」としてのコイルスプリング３４を配設した構成を例に挙げて説明したが、コイルスプリング３４以外の「付勢部材」（例えば、板ばね）を「節部」に配設した構成や、「節部」に「付勢部材」を配設しない構成を採用することもできる。この場合、「付勢部材」を配設しない構成を採用するときには、一例として、「第１部材」と「第２部材」とを「回動軸」を介して連結することで「節部」を構成すると共に、「第１部材」と「第２部材」との間に生じる摺動抵抗によって耳掛け部３の意図しない変形（屈曲変形）を回避するように構成するのが好ましい。
【００３９】
また、回動軸３３等で構成した「節部」に代えて、例えば、「第１部材」および「第２部材」の両部材（非変形部）が「薄肉部（変形部）」を介して連結された状態となるように「耳掛け部」を一体成形し、「薄肉部」を「節部」として機能させて「第１端部」および「第２端部」の両端部間の距離が変化するように「耳掛け部」を変形（屈曲変形）可能とする構成を採用することもできる（図示せず）。さらに、一端部３ａおよび他端部３ｂの間に節部３ｃを１つだけ設けた耳掛け部３を備えた構成を例に挙げて説明したが、「第１端部」および「第２端部」の間に「節部」を２つ以上設けて「耳掛け部」を構成することもできる（図示せず）。
【符号の説明】
【００４０】
１  耳近接スピーカ装置
２  スピーカ部
３  耳掛け部
３ａ  一端部
３ｂ  他端部
３ｃ  節部
４  信号ケーブル
１０  耳介
１０ａ  根元部分
１１  耳穴
１５  眼鏡
１６  ツル部
２１  ケーシング
２２  スピーカ本体
３１  第１部材
３２  第２部材
３３  回動軸
３４  コイルスプリング
４１  当接部
４２  ツル部避け
【図１】
2015207956.tif 000003
【図２】
2015207956.tif 000004
【図３】
2015207956.tif 000005
【図４】
2015207956.tif 000006
【図５】
2015207956.tif 000007
【図６】
2015207956.tif 000008